(57)【要約】【課題】  接続する二重管の切断加工が容易であると共に、内管を内管接続口に接続しやすい。【解決手段】  内管１１の内部に第１の流路を構成し且つ内管１１と外管１２との間隙に第２の流路を構成した二重管１０を接続する二重管アダプター継手２０であって、内管１１を接続する内管接続口３２と、外管１２を接続する外管接続口３３と、を備え、内管接続口３２および外管接続口３３は、軸方向において内管１１の接合位置と外管１２の接合位置とが一致するように、形成されている。【選択図】  図２
2018204705.tif 000002
【特許請求の範囲】
【請求項１】
内管の内部に第１の流路を構成し且つ前記内管と外管との間隙に第２の流路を構成した二重管を接続する二重管継手であって、
前記内管を接続する内管接続口と、
前記外管を接続する外管接続口と、を備え、
前記内管接続口および前記外管接続口は、軸方向において前記内管の接合位置と前記外管の接合位置とが一致するように、形成されていることを特徴とする二重管継手。
【請求項２】
前記内管と前記外管との間隙に挿入され、前記外管に対する前記内管の前記軸方向の位置を固定する内管固定部材を、更に備えたことを特徴とする請求項１に記載の二重管継手。
【請求項３】
前記内管接続口は、前記内管が差し込まれる内管接続代を有し、
前記内管接続代は、
前記内管を接合する内管接合部と、
前記外管接続口から突出し、前記内管を前記内管接合部までガイドする内管ガイド部と、を有することを特徴とする請求項１または２に記載の二重管継手。
【請求項４】
給水または給湯端末の器具繋込み管を接続する繋込み管接続口を、更に備えたことを特徴とする請求項１ないし３のいずれか一項に記載の二重管継手。
【請求項５】
前記内管接続口および前記外管接続口の組を、複数備えたことを特徴とする請求項１ないし３のいずれか一項に記載の二重管継手。
【請求項６】
２本の単管をそれぞれ接続する２つの単管接続口を、更に備えたことを特徴とする請求項１ないし３のいずれか一項に記載の二重管継手。
【請求項７】
請求項１ないし６のいずれか一項に記載の二重管継手と、
前記二重管と、を備えたことを特徴とする配管システム。
【発明の詳細な説明】
【技術分野】
【０００１】
本発明は、内管の内部に第１の流路を構成し且つ内管と外管との間隙に第２の流路を構成した二重管を接続する二重管継手および配管システムに関するものである。
【背景技術】
【０００２】
従来、この種の二重管継手として、内管および外管から成る二重管と、給湯端末に連なる器具繋込み管と、を接続する端末側アダプター継手が知られている（特許文献１参照）。この端末側アダプター継手は、二重管の内管が接続される内管接続口と、二重管の外管が接続される外管接続口と、器具繋込み管が接続される端末接続口と、を備えたものである。この端末側アダプター継手では、外管接続口が、内管接続口の外側に同軸上に形成され、外管接続口に対して、内管接続口が大きく突出して形成されている。
【先行技術文献】
【特許文献】
【０００３】
【特許文献１】特開２００２−３３９４１５号公報
【発明の概要】
【発明が解決しようとする課題】
【０００４】
ところで、二重管の配管では、直管としての二重管の両端がそれぞれ異なる二重管継手に接続されることになる。これに係り、二重管の一端を一の二重管継手に接続した後に、二重管の他端を切断加工して二重管の長さを調整し、その後、二重管の他端を他の二重管継手に接続している。
しかしながら、上記従来の二重管継手では、外管接続口に対して、内管接続口が突出して形成されているため、これに対応して、外管に対し内管が埋没するように、二重管を切断加工しなければならない。このため、内管および外管を一緒に切断して二重管の長さ調整を行った後、専用の切断工具を使って、外管の中で内管のみを切断する作業が必要であり、二重管の切断加工が著しく煩雑であった。
また、外管に対し内管が埋没するように切断加工した二重管では、内管の端部が外管の中に隠れてしまうので、内管の位置が確認できず、内管を内管接続口に接続しづらいという問題もある。
【０００５】
本発明は、接続する二重管の切断加工が容易であると共に、内管を内管接続口に接続しやすい二重管継手および配管システムを提供することを課題としている。
【課題を解決するための手段】
【０００６】
本発明の二重管継手は、内管の内部に第１の流路を構成し且つ内管と外管との間隙に第２の流路を構成した二重管を接続する二重管継手であって、内管を接続する内管接続口と、外管を接続する外管接続口と、を備え、内管接続口および外管接続口は、軸方向において内管の接合位置と外管の接合位置とが一致するように、形成されていることを特徴とする。
【０００７】
本発明の配管システムは、上記の二重管継手と、二重管と、を備えたことを特徴とする。
【０００８】
これらの構成によれば、内管の接合位置と外管の接合位置とが一致しているため、二重管を、内管の端面と外管の端面とが面一になるように切断加工する構成となる。よって、内管および外管を一緒に切断する切断加工を行うだけで良く、二重管の切断加工が容易になる。また、内管の端面と外管の端面とが面一になるように切断加工された二重管であれば、内管の端部が外管の中に隠れてしまうことがないため、内管の位置を確認しながら、内管を内管接続口に接続することができ、内管を内管接続口に接続しやすくなる。
【０００９】
上記の二重管継手において、内管と外管との間隙に挿入され、外管に対する内管の軸方向の位置を固定する内管固定部材を、更に備えることが好ましい。
【００１０】
この構成によれば、内管固定部材によって外管に対する内管の位置が固定されるため、内管および外管を内管接続口および外管接続口に接続するときに、外管に加えた接続力が、内管固定部材を介して内管に適切に伝達され、内管の端部が後方に逃げてしまうことがない。よって、内管および外管を一緒に接続するときに生じる内管の接続不備を防止することができる。
【００１１】
また、内管接続口は、内管が差し込まれる内管接続代を有し、内管接続代は、内管を接合する内管接合部と、外管接続口から突出し、内管を内管接合部までガイドする内管ガイド部と、を有することが好ましい。
【００１２】
この構成によれば、外管接続口から突出した内管ガイド部によって、内管接続口の位置を確認しながら、内管を内管接続口に接続することができる。すなわち、内管の端部の位置と、内管接続口の位置と、を確認しながら、内管を内管接続口に接続することができ、内管接続口に対する内管の接続が更にしやすくなる。
【００１３】
上記の二重管継手において、給水または給湯端末の器具繋込み管を接続する繋込み管接続口を、更に備えることが好ましい。
【００１４】
この構成によれば、接続する二重管の切断加工が容易であると共に、内管を内管接続口に接続しやすい二重管アダプター継手を提供することができる。
【００１５】
上記の二重管継手において、内管接続口および外管接続口の組を、複数備えることが好ましい。
【００１６】
この構成によれば、接続する二重管の切断加工が容易であると共に、内管を内管接続口に接続しやすい二重管チーズや二重管エルボを提供することができる。
【００１７】
上記の二重管継手において、２本の単管をそれぞれ接続する２つの単管接続口を、更に備えたことが好ましい。
【００１８】
この構成によれば、接続する二重管の切断加工が容易であると共に、内管を内管接続口に接続しやすい二重管分岐継手（二重管合流継手）を提供することができる。
【図面の簡単な説明】
【００１９】
【図１】（ａ）は、二重管を示した断面図であり、（ｂ）は、二重管を示した正面図である。
【図２】（ａ）は、第１実施形態に係る二重管アダプター継手を示した断面図であり、（ｂ）は、内管固定部材を示した側面図であり、（ｃ）は、内管固定部材を示した正面図であり、（ｄ）は、アダプター継手本体を示した部分断面図である。
【図３】二重管アダプター継手に対する二重管の接続動作を示した図である。
【図４】（ａ）は、第２実施形態に係る二重管エルボを示した断面図であり、（ｂ）は、エルボ本体を示した部分断面図である。
【図５】（ａ）は、第３実施形態に係る二重管チーズを示した断面図であり、（ｂ）は、チーズ本体を示した部分断面図である。
【図６】（ａ）は、第４実施形態に係る二重管分岐継手を示した断面図であり、（ｂ）は、分岐継手本体を示した部分断面図である。
【図７】二重管アダプター継手、二重管エルボ、二重管チーズおよび二重管分岐継手を用いた給湯配管システムを示したシステム図である。
【図８】（ａ）は、二重管アダプター継手の第１変形例を示した断面図であり、（ｂ）は、二重管エルボの第１変形例を示した断面図である。
【図９】（ａ）は、二重管チーズの第１変形例を示した断面図であり、（ｂ）は、二重管分岐継手の第１変形例を示した断面図である。
【図１０】（ａ）は、二重管アダプター継手の第２変形例を示した断面図であり、（ｂ）は、二重管エルボの第２変形例を示した断面図である。
【図１１】（ａ）は、二重管チーズの第２変形例を示した断面図であり、（ｂ）は、二重管分岐継手の第２変形例を示した断面図である。
【発明を実施するための形態】
【００２０】
以下、添付の図面を参照しながら、本発明の一実施形態に係る二重管継手および配管システムについて説明する。第１実施形態では、本発明の二重管継手を適用した二重管アダプター継手を例示し、第２実施形態では、本発明の二重管継手を適用した二重管エルボを例示し、第３実施形態では、本発明の二重管継手を適用した二重管チーズを例示し、第４実施形態では、本発明の二重管継手を適用した二重管分岐継手を例示する。ここで、各実施形態について説明する前に、各実施形態において接続対象となる二重管について説明する。
【００２１】
図１に示すように、二重管１０は、内部に流路（第１の流路）を構成する内管１１と、内管１１との間隙に流路（第２の流路）を構成する外管１２と、から成る。外管１２は、呼び径において内管１１の２サイズアップのものを用い、内管１１および外管１２は、いずれも樹脂管、具体的には、ポリブテン管で構成されている。なお、以下、二重管１０の内管１１内部の流路を「内管内流路」と呼称し、二重管１０の内管１１と外管１２との間隙の流路を「内管外流路」と呼称する。また、この２本の管で構成された二重管１０に対し、１本の管で構成されたものを単管１６と呼称する。
【００２２】
［第１実施形態］
次に図２を参照して、第１実施形態の二重管アダプター継手２０について説明する。二重管アダプター継手２０は、二重管１０と給湯端末Ａ（図７参照）の器具繋込み管Ａ１（繋込み管）とが接続され、二重管１０の内管内流路と器具繋込み管Ａ１とを連通しつつ、二重管１０の内管内流路と内管外流路とを連通する二重管継手である。
【００２３】
図２（ａ）に示すように、二重管アダプター継手２０は、砲金製の金属継手で構成されており、アダプター継手本体２１と、二重管１０の内管１１および外管１２の間隙に挿入され、外管１２に対する内管１１の軸方向の位置を固定する内管固定部材２２と、を備えている。
【００２４】
図２（ａ）、（ｂ）および（ｃ）に示すように、内管固定部材２２は、内管１１および外管１２の間隙に挿入される４本の挿入部材２６と、４本の挿入部材２６を連結する大リング部材２７および小リング部材２８と、で一体に構成されている。
【００２５】
４本の挿入部材２６は、上下左右の４か所に配設されると共に、それぞれ先細りの角棒状に形成されている。大リング部材２７は、４本の挿入部材２６を外側で連結すると共に、二重管１０の外管１２の端面に当接する。小リング部材２８は、４本の挿入部材２６を内側で連結すると共に、二重管１０の内管１１の端面に当接する。
【００２６】
二重管１０に対する内管固定部材２２の取付けは、各挿入部材２６の内側の面と外側の面とに接着剤を塗布した後、大リング部材２７および小リング部材２８が外管１２および内管１１に当接するまで、４本の挿入部材２６を内管１１および外管１２の間隙に挿入し、その後、接着剤を硬化させることで行われる。これによって、内管１１の端部および外管１２の端部が、内管固定部材２２に接着され、外管１２に対する内管１１の軸方向の位置が固定される。なお、内管固定部材２２を二重管１０に取り付けたとき、４本の挿入部材２６の間に水が通り、通水を許容する構成になっている。
【００２７】
図２（ａ）および（ｄ）に示すように、アダプター継手本体２１は、給湯端末Ａの器具繋込み管Ａ１を接続する繋込み管接続口３１と、二重管１０の内管１１を接続する内管接続口３２と、二重管１０の外管１２を接続する外管接続口３３と、を備えている。外管接続口３３は、内管接続口３２の外側に且つ内管接続口３２と同軸上に形成されている。
【００２８】
繋込み管接続口３１は、器具繋込み管Ａ１がその内側に取り付けられる繋込み管接続代４１と、繋込み管接続代４１に取り付けられた器具繋込み管Ａ１の端面が突き当たる繋込み管突当部４２と、を有している。
【００２９】
内管接続口３２は、内管１１がその外側に差し込まれる内管接続代４４と、内管接続代４４に差し込まれた内管１１の端面が突き当たり、内管１１の位置を規制する内管突当部４５と、内管接続口３２の内外を連通する連通開口４６と、を有している。この連通開口４６によって、二重管１０の内管内流路と内管外流路とが連通されている。また、内管突当部４５によって規制された位置が、内管接続口３２における内管１１の接合位置となる。なお、本実施形態では、内管１１の端面が、内管固定部材２２（小リング部材２８）に覆われているため、内管１１の端面が、内管固定部材２２を介して、内管突当部４５に突き当たる構成となっている。
【００３０】
内管接続代４４は、内管１１を差込み接合する内管接合部４４ａと、内管接合部４４ａから軸方向（先側）に延びる内管ガイド部４４ｂと、を有している。内管接合部４４ａは、外周部においてタケノコ状に複数の山が形成されており、内管１１を差込み接合可能に構成されている。一方、内管ガイド部４４ｂは、先端部が先細りに形成されており、差し込まれた内管１１を、内管接合部４４ａまでガイドする。また、内管ガイド部４４ｂは、外管接続口３３から突出する長さに形成されている。これによって、内管接続口３２の位置を確認しながら、内管１１を接続できるようになっている。
【００３１】
外管接続口３３は、外管１２がその内側に差し込まれる外管接続代５１と、外管接続代５１に差し込まれた外管１２の端面が突き当たり、外管１２の位置を規制する外管突当部５２と、を有している。外管突当部５２によって規制された位置が、外管接続口３３における外管１２の接合位置となる。なお、本実施形態では、外管１２の端面が、内管固定部材２２（大リング部材２７）に覆われているため、外管１２の端面が、内管固定部材２２を介して、外管突当部５２に突き当たる構成となっている。
【００３２】
また、外管接続口３３は、外管接続代５１に差し込まれた外管１２を固定する固定リング５３と、固定リング５３と係合するナット部材５４と、を有している。固定リング５３は、Ｃ型リング状に形成されており、径方向に拡縮可能に構成されている。一方、ナット部材５４は、外管接続代５１の外周部に形成されたネジ部５１ａに螺合し、外管接続代５１に締め付けることで、係合した固定リング５３を縮径可能に構成されている。外管接続口３３では、ナット部材５４を締め付けて固定リング５３を縮径させることで、固定リング５３を外管１２に押し付け、外管１２を固定する構成となっている。なお、外管接続口３３では、内管固定部材２２の各挿入部材２６が、固定リング５３に対する受けとなっているため、固定リング５３と挿入部材２６とに挟まれる形で外管１２が固定される。
【００３３】
そして、外管突当部５２は、軸方向において、内管接続口３２の内管突当部４５と同一位置に形成されている。すなわち、内管接続口３２および外管接続口３３は、その軸方向において、内管１１端部の接合位置（取付け位置）と、外管１２端部の接合位置とが、一致するように形成されている。これによって、二重管アダプター継手２０に接続する二重管１０の、内管１１の端面と外管１２の端面とを面一にすることができ、二重管１０の切断加工を容易に行えるようになっている。
【００３４】
ここで図３を参照して、二重管アダプター継手２０に対する二重管１０の接続動作について説明する。この接続動作は、二重管１０の反対側の端が他の二重管継手に接続された状態で行われるものとする。
【００３５】
図３（ａ）に示すように、まず、二重管１０の端部（接続する側）に、内管固定部材２２を取り付ける。すなわち、各挿入部材２６の外側の面および内側の面に接着剤を塗布し、各挿入部材２６を内管１１と外管１２の間隙に挿入した後、接着剤を硬化させることで、二重管１０の端部に内管固定部材２２を取り付ける。
【００３６】
二重管１０の端部に内管固定部材２２を取り付けたら、図３（ｂ）に示すように、内管固定部材２２によって一体化した内管１１および外管１２を、内管接続代４４および外管接続代５１に差し込む。これによって、内管１１および外管１２が、内管突当部４５および外管突当部５２まで到達し、差込み接合である内管接続口３２に内管１１が接続される。
【００３７】
内管１１および外管１２を内管接続代４４および外管接続代５１に差し込んだら、図３（ｃ）に示すように、固定リング５３およびナット部材５４によって、外管１２を固定する。すなわち、ナット部材５４を締め付けて固定リング５３を縮径させ、固定リング５３と挿入部材２６とで挟む形で外管１２を固定する。これにより、外管接続口３３に外管１２が接続され、本動作を終了する。
【００３８】
［第２実施形態］
次に図４を参照して、第２実施形態の二重管エルボ６０について説明する。二重管エルボ６０は、２本の二重管１０が接続され、２本の二重管１０を垂直に連結する二重管継手である。すなわち、二重管エルボ６０は、二重管１０同士の、内管内流路および内管外流路をそれぞれ連通するものである。
【００３９】
図４（ａ）に示すように、二重管エルボ６０は、砲金製の金属継手で構成されており、エルボ本体６１と、一方の二重管１０の内管１１および外管１２の間隙に挿入され、外管１２に対する内管１１の軸方向の位置を固定する内管固定部材６２と、を備えている。内管固定部材６２は、第１実施形態の内管固定部材２２と同一のものであるため、説明を省略するものとする。
【００４０】
図４（ａ）および（ｂ）に示すように、エルボ本体６１は、一方の二重管１０の内管１１および外管１２をそれぞれ接続する第１内管接続口６５および第１外管接続口６６と、他方の二重管１０の内管１１および外管１２をそれぞれ接続する第２内管接続口６７および第２外管接続口６８と、を備えている。すなわち、二重管エルボ６０は、２本の二重管１０に対応し、内管接続口および外管接続口の組を、２組備えた構成となっている。なお、第１外管接続口６６は、第１内管接続口６５の外側に且つ第１内管接続口６５と同軸上に形成され、第２外管接続口６８は、第２内管接続口６７の外側に且つ第２内管接続口６７と同軸上に形成されている。
【００４１】
各内管接続口６５、６７は、内管１１がその外側に差し込まれる内管接続代７１と、内管接続代７１に差し込まれた内管１１の端面が突き当たり、内管１１の位置を規制する内管突当部７２と、を有している。内管突当部７２によって規制された位置が、各内管接続口６５、６７における内管１１の接合位置となる。
【００４２】
内管接続代７１は、内管１１を差込み接合する内管接合部７１ａと、内管接合部７１ａから軸方向（先側）に延びる内管ガイド部７１ｂと、を有している。内管接合部７１ａは、外周部においてタケノコ状に複数の山が形成されており、内管１１を差込み接合可能に構成されている。一方、内管ガイド部７１ｂは、先端部が先細りに形成されており、差し込まれた内管１１を、内管接合部７１ａまでガイドする。また、内管ガイド部７１ｂは、対応する外管接続口６６、６８から突出する長さに形成されている。これによって、内管接続口６５、６７の位置を確認しながら、内管１１を接続できるようになっている。
【００４３】
各外管接続口６６、６８は、外管１２がその内側に差し込まれる外管接続代７５と、外管接続代７５に差し込まれた外管１２の端面が突き当たり、外管１２の位置を規制する外管突当部７６と、を有している。外管突当部７６によって規制された位置が、各外管接続口６６、６８における外管１２の接合位置となる。
【００４４】
また、各外管接続口６６、６８は、外管接続代７５に差し込まれた外管１２を固定する固定リング７７と、固定リング７７と係合するナット部材７８と、を有している。第１実施形態と同様、固定リング７７は、Ｃ型リング状に形成されており、径方向に拡縮可能に構成されている。一方、ナット部材７８は、外管接続代７５の外周部に形成されたネジ部７５ａに螺合し、外管接続代７５に締め付けることで、係合した固定リング７７を縮径可能に構成されている。各外管接続口６６、６８では、ナット部材７８を締め付けて固定リング７７を縮径させることで、固定リング７７を外管１２に押し付け、外管１２を固定する構成となっている。なお、第１外管接続口６６では、内管固定部材６２の各挿入部材２６が、固定リング７７に対する受けとなっているため、固定リング７７と挿入部材２６とに挟まれる形で外管１２が固定される。一方、第２外管接続口６８は、固定リング７７に対する受けとなる受け部７９を備え、第２外管接続口６８では、固定リング７７と当該受け部７９とに挟まれる形で外管１２が固定される。
【００４５】
そして、外管突当部７６は、軸方向において、内管接続口６５、６７の内管突当部７２と同一位置に形成されている。すなわち、第１内管接続口６５および第１外管接続口６６は、その軸方向において、内管１１端部の接合位置と、外管１２端部の接合位置とが、一致するように形成されている。また、第２内管接続口６７および第２外管接続口６８は、その軸方向において、内管１１端部の接合位置と、外管１２端部の接合位置とが、一致するように形成されている。これらによって、二重管エルボ６０に接続する二重管１０の、内管１１の端面と外管１２の端面とを面一にすることができ、二重管１０の切断加工を容易に行えるようになっている。
【００４６】
第１内管接続口６５および第１外管接続口６６への二重管１０の接続動作は、第１実施形態と同様、二重管１０の反対側の端が他の二重管継手に接続された状態で行われるものであり、第１実施形態に示した接続動作と同様の手順で行われる。すなわち、第１内管接続口６５および第１外管接続口６６への二重管１０の接続動作は、二重管１０の端部に内管固定部材６２を取り付けた後、二重管１０の内管１１および外管１２を、内管接続代７１および外管接続代７５に差し込み、その後、ナット部材７８を締め付けて、固定リング７７で外管１２を固定することにより行われる。
【００４７】
［第３実施形態］
次に図５を参照して、第３実施形態の二重管チーズ８０について説明する。二重管チーズ８０は、３本の二重管１０が接続され、当該３本の二重管１０について、２本の二重管１０を直線状に、１本の二重管１０をこの２本の二重管１０に対し垂直に連結する二重管継手である。すなわち、二重管チーズ８０は、３本の二重管１０の、内管内流路同士および内管外流路同士をそれぞれ連通するものである。なお、以下、上記２本の二重管１０をそれぞれ第１の二重管１０および第２の二重管１０と呼称し、２本の二重管１０に対し垂直に連結される１本の二重管１０を、第３の二重管１０と呼称するものとする。
【００４８】
図５（ａ）に示すように、二重管チーズ８０は、砲金製の金属継手で構成されており、チーズ本体８１と、第１の二重管１０の内管１１および外管１２の間隙に挿入され、外管１２に対する内管１１の軸方向の位置を固定する内管固定部材８２と、を備えている。内管固定部材８２は、第１実施形態の内管固定部材２２と同一のものであるため、説明を省略するものとする。
【００４９】
図５（ａ）および（ｂ）に示すように、チーズ本体８１は、元側に形成された第１内管接続口８５および第１外管接続口８６と、先側に形成された第２内管接続口８７および第２外管接続口８８と、枝側に形成された第３内管接続口８９および第３外管接続口９０と、を備えている。第１内管接続口８５および第１外管接続口８６は、第１の二重管１０の内管１１および外管１２をそれぞれ接続し、第２内管接続口８７および第２外管接続口８８は、第２の二重管１０の内管１１および外管１２をそれぞれ接続する。また、第３内管接続口８９および第３外管接続口９０は、第３の二重管１０の内管１１および外管１２をそれぞれ接続する。すなわち、二重管チーズ８０は、３本の二重管１０に対応し、内管接続口および外管接続口の組を、３組備えた構成となっている。なお、第１外管接続口８６は、第１内管接続口８５の外側に且つ第１内管接続口８５と同軸上に形成され、第２外管接続口８８は、第２内管接続口８７の外側に且つ第２内管接続口８７と同軸上に形成されている。また、第３外管接続口９０は、第３内管接続口８９の外側に且つ第３内管接続口８９と同軸上に形成されている。
【００５０】
各内管接続口８５、８７、８９は、内管１１がその外側に差し込まれる内管接続代９１と、内管接続代９１に差し込まれた内管１１の端面が突き当たり、内管１１の位置を規制する内管突当部９２と、を有している。内管突当部９２によって規制された位置が、各内管接続口８５、８７、８９における内管１１の接合位置となる。
【００５１】
内管接続代９１は、内管１１を差込み接合する内管接合部９１ａと、内管接合部９１ａから軸方向（先側）に延びる内管ガイド部９１ｂと、を有している。内管接合部９１ａは、外周部においてタケノコ状に複数の山が形成されており、内管１１を差込み接合可能に構成されている。一方、内管ガイド部９１ｂは、先端部が先細りに形成されており、差し込まれた内管１１を、内管接合部９１ａまでガイドする。また、内管ガイド部９１ｂは、対応する外管接続口８６、８８、９０から突出する長さに形成されている。これによって、内管接続口８５、８７の位置を確認しながら、内管１１を接続できるようになっている。
【００５２】
各外管接続口８６、８８、９０は、外管１２がその内側に差し込まれる外管接続代９５と、外管接続代９５に差し込まれた外管１２の端面が突き当たり、外管１２の位置を規制する外管突当部９６と、を有している。外管突当部９６によって規制された位置が、各外管接続口８６、８８、９０における外管１２の接合位置となる。
【００５３】
また、各外管接続口８６、８８、９０は、外管接続代９５に差し込まれた外管１２を固定する固定リング９７と、固定リング９７と係合するナット部材９８と、を有している。第１実施形態と同様、固定リング９７は、Ｃ型リング状に形成されており、径方向に拡縮可能に構成されている。一方、ナット部材９８は、外管接続代９５の外周部に形成されたネジ部９５ａに螺合し、外管接続代９５に締め付けることで、係合した固定リング９７を縮径可能に構成されている。外管接続口８６、８８では、ナット部材９８を締め付けて固定リング９７を縮径させることで、固定リング９７を外管１２に押し付け、外管１２を固定する構成となっている。なお、第１外管接続口８６では、内管固定部材８２の各挿入部材２６が、固定リング９７に対する受けとなっているため、固定リング９７と挿入部材２６とに挟まれる形で外管１２が固定される。一方、第２外管接続口８８および第３外管接続口９０は、固定リング９７に対する受けとなる受け部９９を備え、第２外管接続口８８および第３外管接続口９０では、固定リング９７と当該受け部９９とに挟まれる形で外管１２が固定される。
【００５４】
そして、外管突当部９６は、軸方向において、内管接続口８５、８７、８９の内管突当部９２と同一位置に形成されている。すなわち、第１内管接続口８５および第１外管接続口８６は、その軸方向において、内管１１端部の接合位置と、外管１２端部の接合位置とが、一致するように形成されている。また、第２内管接続口８７および第２外管接続口８８は、その軸方向において、内管１１端部の接合位置と、外管１２端部の接合位置とが、一致するように形成されている。さらに、第３内管接続口８９および第３外管接続口９０は、その軸方向において、内管１１端部の接合位置と、外管１２端部の接合位置とが、一致するように形成されている。これらによって、二重管チーズ８０に接続する二重管１０の、内管１１の端面と外管１２の端面とを面一にすることができ、二重管１０の切断加工を容易に行えるようになっている。
【００５５】
第１内管接続口８５および第１外管接続口８６への第１の二重管１０の接続動作は、第１実施形態と同様、第１の二重管１０の反対側の端が他の二重管継手に接続された状態で行われるものであり、第１実施形態に示した接続動作と同様の手順で行われる。すなわち、第１内管接続口８５および第１外管接続口８６への第１の二重管１０の接続動作は、第１の二重管１０の端部に内管固定部材８２を取り付けた後、第１の二重管１０の内管１１および外管１２を、内管接続代９１および外管接続代９５に差し込み、その後、ナット部材９８を締め付けて、固定リング９７で外管１２を固定することにより行われる。
【００５６】
［第４実施形態］
次に図６を参照して、第４実施形態の二重管分岐継手１００について説明する。二重管分岐継手１００は、二重管１０と２本の単管１６とが接続され、二重管１０の内管内流路と一方の単管１６とを連通すると共に、二重管１０の内管外流路と他方の単管１６とを連通する二重管継手である。
【００５７】
図６（ａ）に示すように、二重管分岐継手１００は、砲金製の金属継手で構成されており、分岐継手本体１０１と、二重管１０の内管１１および外管１２の間隙に挿入され、外管１２に対する内管１１の軸方向の位置を固定する内管固定部材１０２と、を備えている。内管固定部材１０２は、第１実施形態の内管固定部材２２と同一のものであるため、説明を省略するものとする。
【００５８】
図６（ａ）および（ｂ）に示すように、分岐継手本体１０１は、元側に形成された第１単管接続口１０５（単管接続口）と、枝側に形成された第２単管接続口１０６（単管接続口）と、先側に形成された内管接続口１０７および外管接続口１０８と、第１単管接続口１０５および内管接続口１０７を連通する連通部材１０９と、を備えている。第１単管接続口１０５は、一方の単管１６を接続し、第２単管接続口１０６は、他方の単管１６を接続する。また、内管接続口１０７および外管接続口１０８は、二重管１０の内管１１および外管１２をそれぞれ接続する。連通部材１０９は、第１単管接続口１０５と内管接続口１０７とを連通することで、一方の単管１６と二重管１０の内管内流路とを連通する。また、連通部材１０９の外では、第２単管接続口１０６と外管接続口１０８とが連通し、これによって、他方の単管１６と二重管１０の内管外流路とが連通されている。なお、外管接続口１０８は、内管接続口１０７の外側に且つ内管接続口１０７と同軸上に形成されている。
【００５９】
各単管接続口１０５、１０６は、単管１６がその内側に差し込まれる単管接続代１１１と、単管接続代１１１に差し込まれた単管１６の端面が突き当たり、単管１６の位置を規制する単管突当部１１２と、後述の固定リング１１５に対する受けとなる受け部１１３と、を有している。
【００６０】
また、各単管接続口１０５、１０６は、単管接続代１１１に差し込まれた単管１６を固定する固定リング１１５と、固定リング１１５と係合するナット部材１１６と、を有している。第１実施形態の外管接続口３３と同様、固定リング１１５は、Ｃ型リング状に形成されており、径方向に拡縮可能に構成されている。一方、ナット部材１１６は、単管接続代１１１の外周部に形成されたネジ部１１１ａに螺合し、単管接続代１１１に締め付けることで、係合した固定リング１１５を縮径可能に構成されている。各単管接続口１０５、１０６では、ナット部材１１６を締め付けて固定リング１１５を縮径させることで、固定リング１１５を単管１６に押し付け、固定リング１１５と受け部１１３とで挟む形で、単管１６を固定する構成となっている。
【００６１】
内管接続口１０７は、内管１１がその外側に差し込まれる内管接続代１２１と、内管接続代１２１に差し込まれた内管１１の端面が突き当たり、内管１１の位置を規制する内管突当部１２２と、を有している。内管突当部１２２によって規制された位置が、内管接続口１０７における内管１１の接合位置となる。
【００６２】
内管接続代１２１は、内管１１を差込み接合する内管接合部１２１ａと、内管接合部１２１ａから軸方向（先側）に延びる内管ガイド部１２１ｂと、を有している。内管接合部１２１ａは、外周部においてタケノコ状に複数の山が形成されており、内管１１を差込み接合可能に構成されている。一方、内管ガイド部１２１ｂは、先端部が先細りに形成されており、差し込まれた内管１１を、内管接合部１２１ａまでガイドする。また、内管ガイド部１２１ｂは、外管接続口１０８から突出する長さに形成されている。これによって、内管接続口１０７の位置を確認しながら、内管１１を接続できるようになっている。
【００６３】
外管接続口１０８は、外管１２がその内側に差し込まれる外管接続代１２５と、外管接続代１２５に差し込まれた外管１２の端面が突き当たり、外管１２の位置を規制する外管突当部１２６と、を有している。外管突当部１２６によって規制された位置が、外管接続口１０８における外管１２の接合位置となる。
【００６４】
また、外管接続口１０８は、外管接続代１２５に差し込まれた外管１２を固定する固定リング１２７と、固定リング１２７と係合するナット部材１２８と、を有している。第１実施形態と同様、固定リング１２７は、Ｃ型リング状に形成されており、径方向に拡縮可能に構成されている。一方、ナット部材１２８は、外管接続代１２５の外周部に形成されたネジ部１２５ａに螺合し、外管接続代１２５に締め付けることで、係合した固定リング１２７を縮径可能に構成されている。外管接続口１０８では、ナット部材１２８を締め付けて固定リング１２７を縮径させることで、固定リング１２７を外管１２に押し付け、外管１２を固定する構成となっている。なお、外管接続口１０８では、内管固定部材１０２の各挿入部材２６が、固定リング１２７に対する受けとなっているため、固定リング１２７と挿入部材２６とに挟まれる形で外管１２が固定される。
【００６５】
そして、外管突当部１２６は、軸方向において、内管接続口１０７の内管突当部１２２と同一位置に形成されている。すなわち、内管接続口１０７および外管接続口１０８は、その軸方向において、内管１１端部の接合位置と、外管１２端部の接合位置とが、一致するように形成されている。これによって、二重管分岐継手１００に接続する二重管１０の、内管１１の端面と外管１２の端面とを面一にすることができ、二重管１０の切断加工を容易に行えるようになっている。
【００６６】
内管接続口１０７および外管接続口１０８への二重管１０の接続動作は、第１実施形態と同様、二重管１０の反対側の端が他の二重管継手に接続された状態で行われるものであり、第１実施形態に示した接続動作と同様の手順で行われる。すなわち、内管接続口１０７および外管接続口１０８への二重管１０の接続動作は、二重管１０の端部に内管固定部材１０２を取り付けた後、二重管１０の内管１１および外管１２を、内管接続代１２１および外管接続代１２５に差し込み、その後、ナット部材１２８を締め付けて、固定リング１２７で外管１２を固定することにより行われる。
【００６７】
[給湯配管システム]
次に図７を参照して、上記した二重管アダプター継手２０、二重管エルボ６０、二重管チーズ８０、二重管分岐継手１００を用いた給湯配管システムＳＹ（配管システム）について説明する。この給湯配管システムＳＹは、複数の給湯端末Ａに対し、先分岐方式で温水を供給するものである。特に、本給湯配管システムＳＹは、リバース・リターン方式の給湯システムであり、給湯往流路および給湯返流路が接続された循環ポンプユニット２０２によって、給湯往流路および給湯返流路内の温水を昇温可能に循環させることで、給湯往流路および給湯返流路内の温水を一定の温度に保つ機能（即出湯機能）を有したものである。
【００６８】
図７に示すように、給湯配管システムＳＹは、ヒートポンプを補助熱源とし電気又はガス給湯熱源を主熱源とする給湯器２０１と、給湯器２０１に併設された循環ポンプユニット２０２と、給湯器２０１と循環ポンプユニット２０２とを接続する接続管２０３と、循環ポンプユニット２０２と複数の給湯端末Ａとを接続する給湯配管２０４と、を有している。複数の給湯端末Ａは、標準的な住宅に設置されるものであり、洗面化粧台の混合栓、浴室の混合栓およびシステムキッチンの混合栓等で構成されている。これらの混合栓（給湯端末Ａ）には、下部の隠蔽部分に温水一対の器具繋込み管Ａ１が設けられている。
【００６９】
給湯配管２０４は、一端が循環ポンプユニット２０２の吐出口側に接続された給湯往主管２１１と、一端が循環ポンプユニット２０２の吸込口側に接続された給湯返主管２１２と、給湯往主管２１１および給湯返主管２１２の他端が接続された上記二重管分岐継手１００と、一端が二重管分岐継手１００に接続され、他端が１の給湯端末Ａに接続された給湯主管２１３と、給湯主管２１３に介設された複数の上記二重管チーズ８０と、一端が各二重管チーズ８０に接続され、他端が各１の給湯端末Ａに接続された複数の給湯枝管２１４と、を備えている。また、給湯主管２１３および給湯枝管２１４の屈曲部分には、上記二重管エルボ６０が介設されている。さらに、給湯主管２１３と給湯端末Ａとの接続部分、および給湯枝管２１４と給湯端末Ａとの接続部分には、上記二重管アダプター継手２０がそれぞれ介設されている。
【００７０】
本給湯配管２０４では、給湯主管２１３および給湯枝管２１４が、上記二重管１０で構成されており、給湯往主管２１１、二重管分岐継手１００、給湯主管２１３の内管内流路、複数の二重管チーズ８０、給湯枝管２１４の内管内流路および複数の二重管エルボ６０により、循環ポンプユニット２０２から各二重管アダプター継手２０に至る給湯往流路を構成している。また、給湯返主管２１２、二重管分岐継手１００、給湯主管２１３の内管外流路、複数の二重管チーズ８０、給湯枝管２１４の内管外流路および複数の二重管エルボ６０により、各二重管アダプター継手２０から循環ポンプユニット２０２に至る給湯返流路を構成している。
【００７１】
給湯主管２１３および給湯枝管２１４は、上記したように、上記二重管１０によって構成されている。具体的には、給湯主管２１３は、複数の二重管エルボ６０および複数の二重管チーズ８０によって連結された複数本の上記二重管１０により構成されている。また、給湯枝管２１４は、１以上（１つまたは複数）の二重管エルボ６０によって連結された複数本の上記二重管１０により構成されている。これらの二重管１０は、内管内流路が給湯往流路を構成し、内管外流路が給湯返流路を構成している。
【００７２】
二重管分岐継手１００、二重管チーズ８０、二重管エルボ６０および二重管アダプター継手２０は、上記したものと同一のものを用いる。
【００７３】
二重管分岐継手１００は、単管１６である給湯往主管２１１および給湯返主管２１２と、給湯主管２１３とが接続され、給湯往主管２１１と給湯主管２１３の内管内流路とを連通し、給湯返主管２１２と給湯主管２１３の内管外流路とを連通する。
【００７４】
二重管チーズ８０は、給湯主管２１３の２本の二重管１０と、給湯枝管２１４の１本の二重管１０を連結し、これら３本の二重管１０の内管内流路同士および内管外流路同士をそれぞれ連通する。
【００７５】
二重管エルボ６０は、給湯主管２１３または給湯枝管２１４の２本の二重管１０を連結し、この２本の二重管１０の内管内流路同士および内管外流路同士をそれぞれ連通する。
【００７６】
二重管アダプター継手２０は、給湯主管２１３または給湯枝管２１４と、給湯端末Ａの器具繋込み管Ａ１とが接続され、給湯主管２１３または給湯枝管２１４の内管内流路と器具繋込み管Ａ１とを連通する。また、二重管アダプター継手２０は、給湯主管２１３または給湯枝管２１４の、内管内流路（給湯往流路）と内管外流路（給湯返流路）とを連通する。これにより、給湯配管２０４全体において、給湯往流路の下流側と、給湯返流路の上流側とが接続される構成になっている。これによって、給湯往流路および給湯返流路から成る、循環ポンプユニット２０２を介した循環流路が形成されている。
【００７７】
循環ポンプユニット２０２は、循環ポンプと、ヒーターを内蔵した加熱タンクと、を有している（いずれも図示省略）。循環ポンプユニット２０２は、循環ポンプおよびヒーターを駆動して循環流路（給湯往流路および給湯返流路）内の温水を昇温しつつ循環させることで、循環流路内の温水の温度を一定の温度に維持する。
【００７８】
本給湯配管システムＳＹでは、ユーザーが温水を使用すべく、いずれかの給湯端末Ａを開放操作すると、水頭圧によって、給湯器２０１の温水が、接続管２０３を介して循環ポンプユニット２０２に供給され、循環ポンプユニット２０２から給湯往流路（給湯往主管２１１、二重管分岐継手１００、給湯主管２１３、複数の二重管チーズ８０、給湯枝管２１４、複数の二重管エルボ６０）を介して当該給湯端末Ａに供給される。また、本給湯配管システムＳＹでは、給湯器２０１からの温水の非供給時に、循環ポンプおよびヒーターを駆動して循環流路内の温水を昇温しつつ循環させることで、循環流路内の温水の温度を一定の温度に維持する。
【００７９】
以上、上記各実施形態によれば、内管接続口３２、６５、６７、８５、８７、８９、１０７および外管接続口３３、６６、６８、８６、８８、９０、１０８について、内管１１の接合位置と外管１２の接合位置とが一致するように形成されているため、二重管１０を、内管１１の端面と外管１２の端面とが面一になるように切断加工する構成となる。よって、内管１１および外管１２を一緒に切断する切断加工を行うだけで良く、接続する二重管１０の切断加工が容易になる。また、内管１１の端面と外管１２の端面とが面一になるように切断加工された二重管１０であれば、内管１１の端部が外管１２の中に隠れてしまうことがないため、内管１１の位置を確認しながら、内管１１を内管接続口３２、６５、６７、８５、８７、８９、１０７に接続することができ、内管１１を内管接続口３２、６５、６７、８５、８７、８９、１０７に接続しやすくなる。
【００８０】
また、内管固定部材２２、６２、８２、１０２を用いることで、内管固定部材２２、６２、８２、１０２によって外管１２に対する内管１１の軸方向の位置が固定されるため、内管１１および外管１２を内管接続口３２、６５、６７、８５、８７、８９、１０７および外管接続口３３、６６、６８、８６、８８、９０、１０８に接続するときに、外管１２に加えた接続力が、内管固定部材２２、６２、８２、１０２を介して内管１１に適切に伝達され、内管１１の端部が後方に逃げてしまうことがない。よって、内管１１および外管１２を一緒に接続するときに生じる内管１１の接続不備を防止することができる。
【００８１】
さらに、内管接続代４４、７１、９１、１２１に、外管接続口３３、６６、６８、８６、８８、９０、１０８から突出する内管ガイド部４４ｂ、７１ｂ、９１ｂ、１２１ｂを設けることで、外管接続口３３、６６、６８、８６、８８、９０、１０８から突出した内管ガイド部４４ｂ、７１ｂ、９１ｂ、１２１ｂによって、内管接続口３２、６５、６７、８５、８７、８９、１０７の位置を確認しながら、内管１１を内管接続口３２、６５、６７、８５、８７、８９、１０７に接続することができる。すなわち、内管１１の端部の位置と、内管接続口３２、６５、６７、８５、８７、８９、１０７の位置と、を確認しながら、内管１１を内管接続口３２、６５、６７、８５、８７、８９、１０７に接続することができ、内管接続口３２、６５、６７、８５、８７、８９、１０７に対する内管１１の接続が更にしやすくなる。
【００８２】
なお、上記各実施形態においては、上記各二重管継手２０、６０、８０、１００を、金属継手で構成したが、各二重管継手２０、６０、８０、１００を、樹脂継手で構成しても良い。かかる場合、内管１１、外管１２および単管１６の接合を電気融着によって行う構成が好ましい。すなわち、図８および図９に示すように、固定リング５３、７７、９７、１１５、１２７およびナット部材５４、７８、９８、１１６、１２８に代えて、外管接続代５１、７５、９５、１２５および単管接続代１１１に電気融着用の発熱体３０１が埋め込まれ、内管接続代４４、７１、９１、１２１（内管接合部４４ａ、７１ａ、９１ａ、１２１ａ）に、電気融着用の発熱体３０２を埋め込まれた構成とする。そして、発熱体３０１、３０２の端子３０３にコントローラー（図示省略）を接続し、通電することで、内管１１を内管接続代４４、７１、９１、１２１に、外管１２を外管接続代５１、７５、９５、１２５に、単管１６を単管接続代１１１に電気融着する構成とする。なお、同図に示すように、内管接続代４４、７１、９１、１２１の発熱体３０２と、これに対応する外管接続代５１、７５、９５、１２５の発熱体３０１と、が共通の端子３０３に接続されていることが好ましい。かかる構成であれば、内管接続代４４、７１、９１、１２１に対する内管１１の電気融着と、外管接続代５１、７５、９５、１２５に対する外管１２の電気融着と、を一緒に行うことができる。
【００８３】
また、上記各実施形態において、図９および図１０に示すように、内管固定部材２２、６２、８２、１０２を省略する構成であっても良い。かかる場合、その位置に、固定リング５３、７７、９７、１２７に対する受けとなる受け部３０４を配設するものとする。
【００８４】
さらに、上記記載では、先分岐方式で温水を供給する給湯配管システムＳＹに、本発明を適用したが、ヘッダー方式で温水を供給する給湯配管システムに、本発明を適用しても良い。すなわち、ヘッダー方式の給湯配管システムに、上記二重管アダプター継手２０を採用すると共に、二重管１０を接続する二重管ヘッダーに、本発明の構成（上記各二重管継手２０、６０、８０、１００で採用した二重管１０の接続構造）を採用することも考えられる。
【００８５】
またさらに、上記記載では、給湯配管システムＳＹに、本発明を適用したが、給水配管システムに、本発明を適用しても良い。すなわち、上記記載では、二重管アダプター継手２０が、給湯端末Ａの器具繋込み管Ａ１を接続する繋込み管接続口３１を備える構成であったが、二重管アダプター継手２０が、給水端末の器具繋込み管を接続する繋込み管接続口３１を備える構成であっても良い。
【符号の説明】
【００８６】
１０：二重管、  １１：内管、  １２：外管、  １６：単管、  ２０：二重管アダプター継手、  ２２：内管固定部材、  ３１：繋込み管接続口、  ３２：内管接続口、  ３３：外管接続口、  ４４：内管接続代、  ４４ａ：内管接合部、  ４４ｂ：内管ガイド部、  ６０：二重管エルボ、  ６２：内管固定部材、  ６５：第１内管接続口、  ６６：第１外管接続口、  ６７：第２内管接続口、  ６８：第２外管接続口、  ７１：内管接続代、  ７１ａ：内管接合部、  ７１ｂ：内管ガイド部、  ８０：二重管チーズ、  ８２：内管固定部材、  ８５：第１内管接続口、  ８６：第１外管接続口、  ８７：第２内管接続口、  ８８：第２外管接続口、  ８９：第３内管接続口、  ９０：第３外管接続口、  ９１：内管接続代、  ９１ａ：内管接合部、  ９１ｂ：内管ガイド部、  １００：二重管分岐継手、  １０２：内管固定部材、  １０５：第１単管接続口、  １０６：第２単管接続口、  １０７：内管接続口、  １０８：外管接続口、  １２１：内管接続代、  １２１ａ：内管接合部、  １２１ｂ：内管ガイド部、  Ａ１：器具繋込み管、  ＳＹ：給湯配管システム
【図１】
2018204705.tif 000003
【図２】
2018204705.tif 000004
【図３】
2018204705.tif 000005
【図４】
2018204705.tif 000006
【図５】
2018204705.tif 000007
【図６】
2018204705.tif 000008
【図７】
2018204705.tif 000009
【図８】
2018204705.tif 000010
【図９】
2018204705.tif 000011
【図１０】
2018204705.tif 000012
【図１１】
2018204705.tif 000013